(57)【要約】      （修正有）【課題】ネットワーク機器の資産管理を効率的に行う。【解決手段】ＧＰＳ搭載ＮＷスイッチ００２と、ＧＰＳ搭載ＮＷスイッチ００２に接続された一つ以上のＮＷスイッチ００３と、を含んで構成される、一つ以上の資産管理グループと、資産管理グループを管理するＮＷ管理装置００１と、を備える。ＮＷ管理装置００１は、棚卸時に、各々の資産管理グループについて、ＧＰＳ搭載ＮＷスイッチ００２からＭＩＢ情報を取得し３０８，３０９、管理データベースから、前回の棚卸時の機器情報と、通常稼働時の機器情報と、を取得し３１０、ＭＩＢ情報と、前回の棚卸時の機器情報と、通常稼働時の機器情報と、に基づき、当該資産管理グループが現物確認の必要なグループか否かを判定する。【選択図】図３
2015176396.tif 000002
【特許請求の範囲】
【請求項１】
ＧＰＳ搭載ＮＷスイッチと、ＧＰＳ搭載ＮＷスイッチに接続された一つ以上のＮＷスイッチと、を含んで構成される、一つ以上の資産管理グループと、
前記資産管理グループを管理するＮＷ管理装置と、を備え、
前記資産管理グループにおいて、
前記ＮＷ管理装置は、
棚卸時に、各々の前記資産管理グループについて、
前記ＧＰＳ搭載ＮＷスイッチからＭＩＢ情報を取得し、
前記管理データベースから、前回の棚卸時の機器情報と、通常稼働時の機器情報と、を取得し、
前記ＭＩＢ情報と、前記前回の棚卸時の機器情報と、前記通常稼働時の機器情報と、に基づき、当該資産管理グループが現物確認の必要なグループか否かを判定する
ことを特徴とするネットワーク資産管理システム。
【請求項２】
請求項１に記載のネットワーク資産管理システムにおいて、
前記ＧＰＳ搭載ＮＷスイッチは、繰り返し、前記ＮＷスイッチからＭＡＣアドレス情報を取得し、
取得した前記ＭＡＣアドレス情報と、ＳＮＭＰのポートリンクダウン回数と、を前記ＮＷ管理装置へ送信し、
前記ＮＷ管理装置は、各々の前記資産管理グループから受信した、前記ＭＡＣアドレス情報と前記ＳＮＭＰのポートリンクダウン回数とを、前記通常稼働時の機器情報として、前記管理データベースで管理する
ことを特徴とするネットワーク資産管理システム。
【請求項３】
請求項１または２に記載のネットワーク資産管理システムにおいて、
前記ＭＩＢ情報は、ＧＰＳ情報と、ポートリンクダウン情報と、前記ＮＷスイッチから取得したＭＡＣアドレス情報と、を含み、
前記ＮＷ管理装置は、
前記現物確認の必要なグループか否かの判定において、
前記ＧＰＳ搭載ＮＷスイッチに対して行う応答有無の確認において、応答がない場合と、
前記ＭＩＢ情報に含まれるＧＰＳ情報と、前記棚卸時のＧＰＳ情報と、に差分がある場合と、
前回棚卸以降にポートリンクダウンが発生している場合と、
前回棚卸以降に前記ＭＡＣアドレス情報が変更されている場合と、に、
当該資産管理グループは前記現物確認の必要なグループ、と判定する
ことを特徴とするネットワーク資産管理システム。
【発明の詳細な説明】
【技術分野】
【０００１】
本発明は、ネットワーク機器に対して機器交換や移動を検知する管理装置のシステムと方法に関する。
【背景技術】
【０００２】
従来、ネットワーク(ＮＷ)に接続される通信機器の資産を効率的に管理する技術に関して様々な検討が行われている。
【０００３】
例えば、特許文献１の技術では、ネットワーク(ＮＷ)を流通する情報（ＩＰアドレスやＭＡＣアドレス）を管理対象資産の管理情報として取得し、資産の所在を確認しており、管理情報と取得した管理情報とが異なっていれば、管理情報が更新され、管理者の負担が低減される（段落０００９−００１４、図６、８）。
【０００４】
特許文献２では、資産機器から識別情報および位置情報を取得し、資産機器の移動を管理している。このとき、一定期間、資産機器から識別情報や位置情報が取得できなければ、資産機器が廃棄された、もしくは盗難にあったか否かをユーザに問い合わせをおこない、管理者の負担を低減している（段落０００８−００１１）。
【先行技術文献】
【特許文献】
【０００５】
【特許文献１】特開２００１−２９０９３７号公報
【特許文献２】特開２００５−２７５６１６号公報
【発明の概要】
【発明が解決しようとする課題】
【０００６】
流通業界等、小規模の営業店や販売店などの拠点を全国で多く所有し、ＮＷ機器を、広範囲に大量の資産として保持している企業では、ＮＷ資産の棚卸の際に現物確認を行う作業は多大な時間とコストがかかる作業となっている。
【０００７】
ある企業では、棚卸時に資産管理部署が数百とある各拠点の担当者を相手に問い合わせし現物確認依頼を実施し、最終確認を行っている。現物確認を行った結果、９割はＮＷ機器周りの変更は行っていない拠点であり、また、キャリア等から借用しているＮＷ機器等と混ざってしまっている拠点はＮＷ機器の判別がつかず、資産管理部署に多数の問い合わせがかかってくる場合もある。
【０００８】
このように資産管理担当者にとって、棚卸作業は非常に労力のかかっていることが現状となっているが、この課題は、上記特許文献では解決できない。
【課題を解決するための手段】
【０００９】
本発明は、企業等の資産である情報処理装置の位置を管理する技術に関し、現物確認を行う拠点を絞りネットワーク機器の棚卸の効率化を図る管理システムを提供する。
【００１０】
上述した課題を解決するために、開示するネットワーク資産管理システムでは、ＮＷ管理装置がＧＰＳなどの衛星測位システムの信号受信器を搭載した（以下、ＧＰＳ搭載という）ＮＷ機器から、繰り返し、その位置情報（以下、ＧＰＳ情報という）を取得し、ＮＷ管理装置が、ＧＰＳ情報の変化によりＮＷ機器が移動の有無を判定し、現物確認の要否を判定する。
【００１１】
また、ＧＰＳ搭載ＮＷ機器に接続されて隣接するＧＰＳ機能と搭載していないＮＷ機器に関しても、ＭＡＣアドレスの変化の有無やリンクダウンを元に、現物確認の要否を判定することを特徴とする。
【００１２】
開示されるネットワーク資産管理システムは、より具体的には、
ＧＰＳ搭載ＮＷスイッチと、ＧＰＳ搭載ＮＷスイッチに接続された一つ以上のＮＷスイッチと、を含んで構成される、一つ以上の資産管理グループと、前記資産管理グループを管理するＮＷ管理装置と、を備え、
前記ＮＷ管理装置は、棚卸時に、各々の前記資産管理グループについて、前記ＧＰＳ搭載ＮＷスイッチからＭＩＢ情報を取得し、前記管理データベースから、前回の棚卸時の機器情報と、通常稼働時の機器情報と、を取得し、前記ＭＩＢ情報と、前記前回の棚卸時の機器情報と、前記通常稼働時の機器情報と、に基づき、当該資産管理グループが現物確認の必要なグループか否かを判定することを特徴とする。
【００１３】
上記態様により現物確認を必要とする拠点（資産管理グループ）を絞ることで、棚卸の効率化を図ることが可能になる。
【発明の効果】
【００１４】
企業などにて定期的に行われるネットワーク機器の棚卸作業の効率化を図り、資産管理担当者の負荷を軽減することができる。
【図面の簡単な説明】
【００１５】
【図１】ＮＷ資産管理システムを利用した際の、全体の構成イメージを例示する図である。
【図２】ＮＷ資産管理システムで行われている通信内容の概要を例示する図である。
【図３】ＮＷ資産管理システムの全体のシーケンスを例示する図である。
【図４】ＮＷ資産管理システムの管理データベースで管理されている機器管理情報を例示する。
【図５】ＮＷ管理装置の現物確認が必要な拠点を判定する為のフローチャートの一例である。
【発明を実施するための形態】
【００１６】
以下、本発明の実施の形態について、実施例を用い図面を参照しながら詳細に説明する。なお、実質同一部位には同じ参照番号を振り、説明は繰り返さない。
【００１７】
図１を参照して、ＮＷ資産管理システムの構成例を説明する。
【００１８】
図１において、管理拠点０００には、ＮＷ管理装置００１、ＧＰＳなどにより位置情報を検出可能なＮＷスイッチ（ＧＰＳ搭載ＮＷスイッチという）００２と、それに隣接し接続された複数のＮＷスイッチやルータなどのＮＷ機器００３がある。また、拠点０００１にも、ＷＡＮ回線を介してＮＷ管理装置００１に接続される、位置情報を検出可能なＧＰＳ搭載ＮＷスイッチ００２と、それに隣接し接続されたＮＷスイッチ００３がある。その他、拠点０００１と同様な構成を有する拠点ｎｎｎｎが存在している。
【００１９】
図２を参照し、ＮＷ管理システムの通信概要を説明する。
【００２０】
ＧＰＳ搭載ＮＷスイッチ００２は、ＧＰＳにより取得した現在の自装置の位置情報と、各ポートの対向の接続装置、すなわちＮＷスイッチ００３のＭＡＣアドレスと、を用いて取得し、機器のＭＩＢ管理情報として保持する。
【００２１】
ＮＷ管理装置００１はＧＰＳ搭載ＮＷスイッチ００２からＭＩＢ情報を取得する。また、ＮＷ管理装置００１は、ＧＰＳ搭載ＮＷスイッチ００２のＳＮＭＰのポートリンクダウン通知を受信し、管理データベース１０５でカウントを行う。
【００２２】
図３はＮＷ資産管理システムのシーケンス図である。
【００２３】
通常稼働時は、常時、繰り返し、例えば定期的に、ＧＰＳ搭載ＮＷスイッチ００２が、隣接するＮＷスイッチ００３から取得したＭＡＣアドレス情報と、ＳＮＭＰのポートリンクダウン回数と、を、通常稼働時の機器情報として、ＮＷ管理装置００１が管理する（３０５〜３０７）。
【００２４】
棚卸チェック動作時は、ＮＷ管理装置００１が、ＧＰＳ搭載ＮＷ００２から、詳細ＭＩＢ情報を取得し（３０８，３０９）、管理データベース１０５から前回棚卸時の機器情報と、通常稼働時の機器情報と、を取得し（３１０）、図５に示す現物確認判定を行い（３１１）、現物確認必要拠点を確定する。そのあと、今回実施分の機器情報を用いて、管理データベース１０５を更新する（３１２）。
【００２５】
図４に管理データベース１０５の管理情報を示す。
【００２６】
図５は、現物確認の必要な箇所をリスト化する為に、ＮＷ管理装置００１が実施する、現物確認要否を判定するフローチャート（現物確認判定フロー）であり、図４の３０９で取得したＭＩＢ情報と、３１０で取得した機器情報とを用いて実施する。
【００２７】
ステップＳ００１において、ＮＷ管理装置００１は位置情報を検出可能なＧＰＳ搭載ＮＷスイッチ００２に対して、応答があるか確認を行う。そうすることにより、位置情報を検出可能なＧＰＳ搭載ＮＷスイッチ００２の電源が入っているか、機器入替が生じていないかを判断する。
【００２８】
Ｓ００１の判定がＮＯであった場合、アクセス不可により現物確認が必要な拠点グループとして登録（Ｓ００６）して終了する。Ｙｅｓであった場合は管理対象のＧＰＳ搭載ＮＷスイッチ００２から、ＭＩＢ情報（ＧＰＳ情報、ポートリンクダウン情報、対向ＭＡＣアドレス情報を含む）を収集する（Ｓ００２）。
【００２９】
Ｓ００３にてＧＰＳ情報を前回取得分と差分があるか判定し、Ｙｅｓの場合はＧＰＳ搭載ＮＷスイッチ００２が移動されたと判断しＳ００６へ、Ｎｏの場合は次の判定ステップであるＳ００４へ進む。
【００３０】
Ｓ００４にてポートリンクダウン・アップが前回棚卸確認以降から発生していないかを判定し、対象管理グループ内で、隣接機器（ＮＷスイッチ００３）の接続変更及び移動が発生していないかを判定する。Ｙｅｓの場合は管理対象のＮＷスイッチ００３の接続が変更されたと判断してＳ００６へ、Ｎｏの場合は次の判定フローであるＳ００５へ進む。
【００３１】
Ｓ００５にて対向のＭＡＣアドレスが前回棚卸確認以降から変更していないかを判定し、対象管理グループ内で、隣接するＮＷスイッチ００３の変更が発生していないかを判定する。Ｙｅｓの場合は隣接ＮＷ機器が変更されたと判断しＳ００６へ、Ｎｏの場合は現物確認の不要な管理グループと判断し、判定フローを終了する。
【００３２】
ＮＷ管理装置００１は上記フローをすべてのＧＰＳ搭載ＮＷスイッチ００２に対して実施し、現物確認の必要な管理グループを管理者に通知する。
【符号の説明】
【００３３】
００１…ＮＷ管理装置
００２…ＧＰＳ搭載ＮＷスイッチ
００３…ＮＷスイッチ
Ｇ１〜Ｇ３…資産管理グループ
１０５…管理データベース
３０５…ＭＡＣアドレス情報取得
３０６…ＳＮＭＰトラップ通知
３０７…ポートリンクダウンのカウント反映
３０８…詳細情報（ＭＩＢ）取得要求
３０９…詳細情報（ＭＩＢ）応答
３１０…前回棚卸時の機器情報取得
３１１…現物確認判定フロー
３１２…今回棚卸時の機器情報更新
【図１】
2015176396.tif 000003
【図２】
2015176396.tif 000004
【図３】
2015176396.tif 000005
【図４】
2015176396.tif 000006
【図５】
2015176396.tif 000007